【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
記憶媒体と、
前記記憶媒体の記憶空間を、（ｉ）永久的に割り当てられたメディアキャッシュ記憶領域、（ｉｉ）動的にマッピングされたメディアキャッシュ記憶領域、および（ｉｉｉ）静的にマッピングされた記憶領域に割り当てるように構成される、プロセッサと、
を備える、記憶デバイス。
【請求項２】
前記プロセッサが、前記動的にマッピングされたメディアキャッシュ記憶領域のサイズおよび前記静的にマッピングされた記憶領域のサイズの合計に等しい使用可能な記憶容量を報告するようにさらに構成される、請求項１に記載の記憶デバイス。
【請求項３】
前記プロセッサがさらに、性能強化機能のために、前記永久的に割り当てられたメディアキャッシュ記憶領域および前記動的にマッピングされたメディアキャッシュ記憶領域のそれぞれを使用するように構成される、請求項１に記載の記憶デバイス。
【請求項４】
前記プロセッサがさらに、論理ブロックアドレス（ＬＢＡ）マップの異なるセクションの使用パターンを決定するように、かつ前記ＬＢＡマップの第１のセクションを前記動的にマッピングされたメディアキャッシュ記憶領域にマッピングするように構成され、前記ＬＢＡマップの前記第１のセクションが、前記ＬＢＡマップの他のセクションと比較してそれほど頻繁に使用されない、請求項１に記載の記憶デバイス。
【請求項５】
前記プロセッサがさらに、
前記動的にマッピングされたメディアキャッシュ記憶領域にピン留めされる書き込み要求データを、静的にマッピングされた記憶領域にピン留めされる書き込み要求データから分離するように、かつ
前記動的にマッピングされたメディアキャッシュ記憶領域にピン留めされる前記書き込み要求データを、前記動的にマッピングされたメディアキャッシュ記憶領域に動的にマッピングするように、
構成される、請求項１に記載の記憶デバイス。
【請求項６】
前記プロセッサがさらに、前記動的に割り当てられたメディアキャッシュ記憶領域のマッピングされたセクションのサイズの、前記動的に割り当てられたメディアキャッシュ記憶領域のマッピングされていないセクションのサイズに対する比率を動的に変化させるように構成される、請求項１に記載の記憶デバイス。
【請求項７】
前記プロセッサがさらに、前記動的に割り当てられたメディアキャッシュ記憶領域のマッピングされたセクションのサイズの、前記動的に割り当てられたメディアキャッシュ記憶領域のマッピングされていないセクションのサイズに対する比率に基づき、性能強化機能を変化させるように構成される、請求項６に記載の記憶デバイス。
【請求項８】
不揮発性記憶媒体の記憶空間を、（ｉ）永久的に割り当てられたメディアキャッシュ記憶領域、（ｉｉ）動的にマッピングされたメディアキャッシュ記憶領域、および（ｉｉｉ）静的にマッピングされた記憶領域に割り当てる方法を含み、前記動的にマッピングされたメディアキャッシュ記憶領域が性能強化機能のために使用される、
方法。
【請求項９】
前記不揮発性記憶媒体が、（１）ディスクドライブ記憶媒体および（２）ハイブリッドディスクドライブ記憶媒体のうちの少なくとも１つである、請求項８に記載の方法。
【請求項１０】
前記動的にマッピングされたメディアキャッシュ記憶領域から論理ブロックアドレス（ＬＢＡ）の最初のセクションのマッピングを解除するステップと、前記ＬＢＡの１つ以上の異なるセクションを、前記動的にマッピングされたメディアキャッシュ記憶領域にマッピングするステップと、をさらに含む、請求項８に記載の方法。
【請求項１１】
前記動的にマッピングされたメディアキャッシュ記憶領域からＬＢＡの最初のセクションのマッピングを解除する前記ステップと、前記ＬＢＡの異なるセクションを、前記動的にマッピングされたメディアキャッシュ記憶領域にマッピングする前記ステップは、ＬＢＡの最初のセクションのサブセットを解除するホストからのトリムコマンドの受信に応答して行われる、請求項１０に記載の方法。
【請求項１２】
ＬＢＡマップの複数のセクションの使用パターンを決定するステップと、
前記動的にマッピングされたメディアキャッシュ記憶領域から、ＬＢＡの第１のセクションのマッピングを解除し、前記ＬＢＡの第２のセクションを、前記動的にマッピングされたメディアキャッシュ記憶領域にマッピングするステップと、
をさらに含み、
ＬＢＡの前記第１のセクションの少なくとも一部が、ＬＢＡの前記第２のセクションの少なくとも一部よりも頻繁に使用されるように決定される、
請求項８に記載の方法。
【請求項１３】
書き込み要求を受信するステップと、
前記動的にマッピングされたメディアキャッシュ記憶領域にピン留めされる書き込み要求データを、静的にマッピングされた記憶領域にピン留めされる書き込み要求データから分離するステップと、
前記動的にマッピングされたメディアキャッシュ記憶領域にピン留めされる書き込み要求データを、前記動的にマッピングされたメディアキャッシュ記憶領域に動的にマッピングするステップと、
をさらに含む、請求項８に記載の方法。
【請求項１４】
静的にマッピングされた記憶領域にピン留めされる書き込み要求データを、前記静的にマッピングされた記憶領域に静的にマッピングするステップをさらに含む、請求項１３に記載の方法。
【請求項１５】
前記動的にマッピングされたメディアキャッシュ記憶領域のマッピングされたセクションのサイズの、前記動的にマッピングされたメディアキャッシュ記憶領域のマッピングされていないセクションのサイズに対する比率に基づき、性能強化機能を変化させるステップをさらに含む、請求項１３に記載の方法。
【請求項１６】
前記動的にマッピングされたメディアキャッシュ記憶領域のマッピングされたセクションのサイズの、前記動的にマッピングされたメディアキャッシュ記憶領域のマッピングされていないセクションのサイズに対する比率を比較するステップと、
前記比率が閾値を超える場合、性能強化機能のために前記動的にマッピングされたメディアキャッシュ記憶領域を使用することを終了するステップと、
をさらに含む、請求項１５に記載の方法。
【請求項１７】
記憶媒体と、
前記記憶媒体の予想された使用パターンを決定するように、かつ前記予想された使用パターンに基づき、オーバープロビジョニングのサイズを決定するように構成される、プロセッサと、
を備える、記憶システム。
【請求項１８】
前記プロセッサがさらに、前記記憶媒体の記憶空間を、前記予想された使用パターンに基づき、（ｉ）永久的に割り当てられたメディアキャッシュ記憶領域、（ｉｉ）動的にマッピングされたメディアキャッシュ記憶領域、および（ｉｉｉ）静的にマッピングされた記憶領域に割り当てるように構成される、請求項１７に記載の記憶システム。
【請求項１９】
前記プロセッサがさらに、前記動的にマッピングされたメディアキャッシュ記憶領域のサイズおよび前記静的にマッピングされた記憶領域のサイズの合計に等しい使用可能な記憶容量を報告するように構成される、請求項１８に記載の記憶システム。
【請求項２０】
前記プロセッサがさらに、性能強化機能のために、前記永久的に割り当てられたメディアキャッシュ記憶領域および前記動的にマッピングされたメディアキャッシュ記憶領域のそれぞれを使用するように構成される、請求項１８に記載の記憶システム。